【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
カラー表示装置であって、
各々が複数の副画素要素を含む第１及び第２配列に配置された少なくとも４つの異なる色の副画素要素のアレイを備え、前記少なくとも４つの異なる色のうちの少なくとも１つが、前記第１及び第２配列の各々に存在し、前記第１配列は、前記第２配列に含まれていない少なくとも１つの色の副画素要素を含み、前記第１及び第２配列は、副画素要素の各行を満たすように交互に繰り返されている、表示装置。
【請求項２】
請求項１に記載の表示装置は更に、
カラー画像の画素を表す副画素データに基づいて、前記アレイの少なくとも一部の副画素要素を選択的にアクティブにして、１つ又は複数の減衰パターンを生成することが可能なコントローラを備える、表示装置。
【請求項３】
請求項２に記載の表示装置において、
前記コントローラは、前記カラー画像の少なくとも第１及び第２画素に対応する副画素データに基づいて、前記第１及び第２配列の副画素要素をアクティブにすることが可能である、表示装置。
【請求項４】
請求項３に記載の表示装置において、
前記コントローラは、前記少なくとも第１及び第２画素の副画素データの組合せによって決定された値に基づいて、前記第１及び第２配列の少なくとも１つにおける少なくとも１つの副画素要素をアクティブにすることが可能である、表示装置。
【請求項５】
請求項４に記載の表示装置において、
前記少なくとも１つのアクティブにされる副画素要素は、前記第２配列に含まれていない色の副画素要素を含み、
前記副画素データは、前記第２配列に含まれていない色に対応する前記少なくとも第１及び第２画素の副画素データを含む、表示装置。
【請求項６】
請求項３に記載の表示装置において、
前記コントローラは、前記アクティブにされる前記副画素要素の副画素データと前記第２配列に含まれていない色との組合せによって決定された値に基づいて、前記第２配列の副画素要素をアクティブにすることが可能である、表示装置。
【請求項７】
請求項６に記載の表示装置において、
前記コントローラは、前記第２画素における緑及びシアンの副画素データの組合せによって決定された値に基づいて、前記第２配列の緑の副画素要素をアクティブにすることが可能である、表示装置。
【請求項８】
請求項６に記載の表示装置において、
前記コントローラは、前記第２画素における青及びシアンの副画素データの組合せによって決定された値に基づいて、前記第２配列の青の副画素要素をアクティブにすることが可能である、表示装置。
【請求項９】
請求項６に記載の表示装置において、
前記コントローラは、前記第２画素における青及びシアンの副画素データの組合せによって決定された値に基づいて、前記第２配列のシアンの副画素要素をアクティブにすることが可能である、表示装置。
【請求項１０】
請求項３に記載の表示装置において、
前記コントローラは、
第１副画素要素の色に対応する前記第２画素の副画素データと第１補正成分との組合せによって決定された値に基づいて、前記第２配列の第１副画素要素をアクティブにし、
第２副画素要素の色に対応する前記第２画素の副画素データと第２補正成分との組合せによって決定された値に基づいて、前記第２配列の第２副画素要素をアクティブにし、
前記第２配列に含まれていない色に対応する前記第１画素の副画素データと第３補正成分との組合せによって決定された値に基づいて、前記第２配列に含まれていない色の副画素要素をアクティブにする、
ことが可能である、表示装置。
【請求項１１】
請求項１０に記載の表示装置において、
前記コントローラは、前記第１副画素要素、前記第２副画素要素及び前記第２配列に含まれていない色の副画素要素によって再現された輝度間の関係に基づいて、前記第１、第２及び第３補正成分のうちの少なくとも１つを決定することが可能である、表示装置。
【請求項１２】
請求項１１に記載の表示装置において、
前記コントローラは、前記第２配列に含まれていない色の副画素要素によって再現された輝度に対応する値が、前記第１及び第２副画素要素によって再現された輝度の和と実質的に等しくなるように、前記第１、第２及び第３補正成分のうちの少なくとも１つを決定することが可能である、表示装置。
【請求項１３】
請求項１０に記載の表示装置において、
前記第１及び第２副画素要素は、緑及び青の副画素要素を含み、
前記第２配列に含まれていない色の副画素要素は、シアンの副画素要素を含む、表示装置。
【請求項１４】
請求項１に記載の表示装置において、
前記第２配列は、前記第１配列に含まれていない少なくとも１つの色の副画素要素を含む、表示装置。
【請求項１５】
請求項１に記載の表示装置において、
前記第１配列は、前記第２配列に隣接する、表示装置。
【請求項１６】
請求項１に記載の表示装置において、
前記第１及び第２配列のうちの少なくとも１つは、少なくとも４つの色の副画素要素を含む、表示装置。
【請求項１７】
請求項１６に記載の表示装置において、
前記第１及び第２配列のうちの少なくとも１つは、３つ以上の色の副画素要素の副配列を含む、表示装置。
【請求項１８】
請求項１７に記載の表示装置において、
前記副配列は、緑、赤及び黄の副画素要素を含む、表示装置。
【請求項１９】
請求項１に記載の表示装置において、
少なくとも第１の色と第２の色が、それぞれ第１及び第２の異なる一定周期で、前記副画素要素のアレイ内で繰り返される、表示装置。
【請求項２０】
方法であって、
カラー画像の画素を表す副画素データに基づいて、複数の副画素要素のアレイの少なくとも一部の副画素要素を選択的にアクティブにして、１つ又は複数の減衰パターンを生成すること、を備え、
前記アレイは、３つ以上の副画素要素の第１及び第２配列に配置された少なくとも４つの異なる色の副画素要素を含み、前記少なくとも４つの異なる色のうちの少なくとも１つが、前記第１及び第２配列の各々に存在し、前記第１配列は、前記第２配列に含まれていない少なくとも１つの色の副画素要素を含み、前記第１及び第２配列は、副画素要素の各行を満たすように交互に繰り返される、方法。
【請求項２１】
請求項２０に記載の方法は更に、
前記カラー画像の少なくとも第１及び第２画素に対応する副画素データに基づいて、前記第１及び第２配列の副画素要素をアクティブにすることを備える、方法。
【請求項２２】
請求項２１に記載の方法は更に、
前記少なくとも第１及び第２画素の副画素データの組合せによって決定された値に基づいて、前記第１及び第２配列のうちの少なくとも１つにおける少なくとも１つの副画素要素をアクティブにすることを備える、方法。
【請求項２３】
請求項２２に記載の方法において、
前記少なくとも１つのアクティブにされる副画素要素は、前記第２配列に含まれていない色の副画素要素を含み、
前記副画素データは、前記第２配列に含まれていない色に対応する前記少なくとも第１及び第２画素の副画素データを含む、方法。
【請求項２４】
請求項２１に記載の方法は更に、
前記アクティブにされる副画素要素の副画素データと前記第２配列に含まれていない色との組合せによって決定された値に基づいて、前記第２配列の副画素要素をアクティブにすることを備える、方法。
【請求項２５】
請求項２４に記載の方法は更に、
前記第２画素における緑及びシアンの副画素データの組合せによって決定された値に基づいて、前記第２配列の緑の副画素要素をアクティブにすることを備える、方法。
【請求項２６】
請求項２４に記載の方法は更に、
前記第２画素における青及びシアンの副画素データの組合せによって決定された値に基づいて、前記第２配列の青の副画素要素をアクティブにすることを備える、方法。
【請求項２７】
請求項２４に記載の方法は更に、
前記第２画素における青及びシアンの副画素データの組合せによって決定された値に基づいて、前記第２配列のシアンの副画素要素をアクティブにすることを備える、方法。
【請求項２８】
請求項２１に記載の方法は更に、
第１副画素要素の色に対応する前記第２画素の副画素データと第１補正成分との組合せによって決定された値に基づいて、前記第２配列の第１副画素要素をアクティブにすること、
第２副画素要素の色に対応する前記第２画素の副画素データと第２補正成分との組合せによって決定された値に基づいて、前記第２配列の第２副画素要素をアクティブにすること、
前記第２配列に含まれていない色に対応する前記第１画素の副画素データと第３補正成分との組合せによって決定された値に基づいて、前記第２配列に含まれていない色の副画素要素をアクティブにすること、
を備える、方法。
【請求項２９】
請求項２８に記載の方法は更に、
前記第１副画素要素、前記第２副画素要素及び前記第２配列に含まれていない色の副画素要素によって再現された輝度間の関係に基づいて、前記第１、第２及び第３補正成分のうちの少なくとも１つを決定することを備える、方法。
【請求項３０】
請求項２９に記載の方法は更に、
前記第２配列に含まれていない色の副画素要素によって再現された輝度に対応する値が、前記第１及び第２副画素要素によって再現された輝度の和と実質的に等しくなるように、前記第１、第２及び第３補正成分のうちの少なくとも１つを決定することを備える、方法。
【請求項３１】
請求項２８に記載の方法において、
前記第１及び第２副画素要素は、緑及び青の副画素要素を含み、
前記第２配列に含まれていない色の副画素要素は、シアンの副画素要素を含む、方法。
【請求項３２】
請求項２０に記載の方法において、
少なくとも第１の色と第２の色が、それぞれ第１及び第２の異なる一定周期で、前記副画素要素のアレイ内で繰り返される、方法。